(57)【要約】【課題】構造が簡素化され、簡単な操作の下で切換して泡のパターンを変更できるフォーマーディスペンサーの噴射ノズルを提供する。【解決手段】フォーマーディスペンサーの噴射筒より噴出させた内容物を泡状にして外部に排出する噴射ノズルにおいて、噴射筒の先端に装着され該噴射筒の通路につながる開孔を有するノズル本体と、このノズル本体に装着され開孔より噴出させた内容物を障壁に衝突させるとともに泡状にして外部に排出する造泡筒とを備え、前記ノズル本体に開孔の周りを取り囲み内容物の排出する向きに突出する先端開放になる環状体を設け、造泡筒を該環状体の長手方向に沿ってスライド可能に装着する。【選択図】        図１
2004290943.tif 000002
【特許請求の範囲】
【請求項１】
フォーマーディスペンサーの噴射筒より噴出させた内容物を泡状にして外部に排出する噴射ノズルであって、
噴射筒の先端に装着され該噴射筒の通路につながる開孔を有するノズル本体と、このノズル本体に装着され開孔より噴出させた内容物を障壁に衝突させるとともに泡状にして外部に排出する造泡筒とを備え、
前記ノズル本体に開孔の周りを取り囲み内容物の排出する向きに突出する先端開放になる環状体を設け、造泡筒を該環状体に対しその長手方向に沿ってスライド可能に装着してなることを特徴とするフォーマーディスペンサー用噴射ノズル。
【請求項２】
造泡筒は、その外面に摘み部を有する請求項１記載のフォーマーディスペンサー用噴射ノズル。
【発明の詳細な説明】
【０００１】
【発明の属する技術分野】
本発明は、ポンプ機構によって容器内の内容物を吸引、加圧し該内容物を泡状にして噴出させるフォーマーディスペンサー用の噴射ノズルに関するものであり、内容物を噴出させる際の泡のパターンを、簡便な操作のもとで切換、変更しようとするものである。
【０００２】
【従来の技術】
黴びとり剤や漂白剤、整髪剤あるいは洗顔剤等を充填した容器では、エアゾール容器で使用されているような環境破壊につながる加圧媒体を使用することなしに内容物を噴出させるディスペンサーが用いられている。
【０００３】
上記ディスペンサーとしては、具体的に操作レバーを牽曳することで内容物を吸引、加圧して噴出させるトリガータイプのディスペンサーや押圧ヘッドを押し込むことで内容物を吸引、加圧して噴出させるプライミングタイプのディスペンサーが知られており、また、内容物の噴出形態についても霧状や泡状にして排出させる等、様々な要求に対応したものが存在する。
【０００４】
通常、内容物を泡状にして噴出させるフォーマーディスペンサーは、ノズル開孔より噴出させた内容物をその出側直近に設けた障壁に衝突させ、その際に空気と混在させることで泡の状態にする構造の噴射ノズルが装着されているのが普通であり、噴射ノズル内に摺動筒部材を設けてそれを前後に移動させることで粗い泡やクリーミな泡を噴出させる等、泡のパターンを変更可能とするものも提案されている（例えば、特許文献１参照）。
【０００５】
【特許文献１】
実公昭６０−２７４８５号公報
【０００６】
ところで、前記の従来技術等においては、泡のパターンの切換、変更を可能とする噴射ノズルは、構成パーツの数が多くなりがちでノズル内部の構造が複雑であること、また、ノズル内で移動させる摺動筒部材がどの位置に存在するのか確認することができず、どのようなパターンの泡になって噴出するか予測できないこと、さらには、泡のパターンを変更するに当たってはノズル先端に設けた螺筒を直接把持して切換を行うものであることからノズル内に残留した内容物が手に付着しやすい不具合があった。
【０００７】
【発明が解決しようとする課題】
本発明の課題は、残留内容物が手に付着することなしに簡単な操作で泡のパターンを切換、変更できる構造の簡素化されたフォーマーディスペンサー用噴射ノズルを提案するところにある。
【０００８】
【課題を解決するための手段】
本発明は、フォーマーディスペンサーの噴射筒より噴出させた内容物を泡状にして外部に排出する噴射ノズルであって、
噴射筒の先端に装着され該噴射筒の通路につながる開孔を有するノズル本体と、このノズル本体に装着され開孔より噴出させた内容物を障壁に衝突させるとともに泡状にして外部に排出する造泡筒とを備え、
前記ノズル本体に開孔の周りを取り囲み内容物の排出する向きに突出する先端開放になる環状体を設け、造泡筒を該環状体に対しその長手方向に沿ってスライド可能に装着してなることを特徴とするフォーマーディスペンサー用噴射ノズルである。
【０００９】
上記の構成になる噴射ノズルにおいて、造泡筒は、その外面に摘み部を有するものが望ましい。
【００１０】
【発明の実施の形態】
以下、図面を用いて本発明をより具体的に説明する。
【００１１】
図１は、本発明に従う噴射ノズルをトリガー式のディスペンサーに装着した場合の実施の形態を示したものである。
【００１２】
図において１はポンプ機構を組み込んだディスペンサーのボディ、２は操作レバー、３はディスペンサーの噴射筒である。
【００１３】
また、４は噴射筒３の先端に装着されるノズル本体あり、ノズル本体４には、噴射筒３の通路３ａにつながる開孔４ａが設けられている。
【００１４】
５は造泡筒である。造泡筒５はノズル本体４の開孔４ａより噴出させた内容物を衝突させ泡状にして外部へ排出する障壁５ａとその後端に向けて開放する環状溝５ｂが設けられており、上記のノズル本体４と造泡筒５によって噴射ノズルが構成される。
【００１５】
また、６は造泡筒５の外面に一体的に設けられた摘み部、７はノズル本体４において開孔４ａを取り囲み内容物の排出する向きに突出する先端開放になる環状体である。この環状体７は図示の如く造泡筒５の環状溝５ｂ内でねじ係合することができるようになっており、該造泡筒５を環状体７の周りで回転させ環状体７の長手方向に沿ってスライドさせることで障壁５ａと開孔４ａの距離を変更して泡のパターンを変更する。さらに、造泡筒５内に空気を導入するための空気導入路を、環状体７の基部とノズル本体４の開孔４ａの前面との間で、かつ、ノズル本体４の側壁に該開孔４ａの前方につながるよう開孔４ａを中心として対称位置に開口させる。
【００１６】
上掲図１に示した噴射ノズルは、造泡筒５を環状体７にねじ係合させるのみで泡のパターンの変更を可能とする、極めて簡単な構造であり、しかも造泡筒５の動きが目視によって確認できるのでどのようなパターンの泡が噴出するか容易に判断することが可能であり使い勝手がよい。
【００１７】
また、このような構造の噴射ノズルは、摘み部６を把持して造泡筒５をスライドさせることができるので、泡のパターンを切り換える際に噴射ノズルの先端に残留している内容物が誤って手に付着することがない。
【００１８】
造泡筒５をスライドさせるに当たって、例えば、環状体７と造泡筒５の相互間の複数箇所に凸部とこの凸部が入り込む凹部からなる位置決め手段を設けたり、あるいは、凹部に代えて凸部を乗り越えることができる第２凸部を設けておくことも可能であり、これにより希望する泡のパターンに迅速に変更できるだけでなく、安定したパターンで泡を噴出させることが可能になる。
【００１９】
図２は本発明に従う噴射ノズルの他の実施の形態を示したものである。この例は環状体７の内側で造泡筒５をねじ係合させた構造のものであり、該造泡筒５の本体部分の突出状態の目視により、さらには、この造泡筒５につながる摘み部６は環状体７の外側に露出することになるので、造泡筒５が環状体７のどの位置にあるか、摘み部６の存在位置で簡単に把握できる。
【００２０】
なお、上掲図２の実施の形態では、空気導入路を造泡筒５前面の障壁５ａの周囲に開口させた構造として示したが、空気導入路はこれに限られるわけではなく、図１の実施の形態で示したものと同様、ノズル本体４の側壁に開口させた構造でもよく、その構造は適宜に選択される。
【００２１】
上掲図１、２では、造泡筒５と環状体７をねじ係合させ、該造泡筒５を回転させることでスライドさせるようにしたが、造泡筒５もしくは環状体７の何れか一方に該環状体７の長手方向に沿う少なくとも１本の溝部を設け、もう一方にこの溝部に入り込む少なくとも一本のリブを設けてこの溝部とリブとの誘導下に造泡筒５をスライドさせるようにしてもよく、この点については限定されない。
【００２２】
また、図示はしないが、ノズル本体４に環状体７を設けず、これと同等の環状体を造泡筒５に配設してこの環状体をノズル本体４の先端にねじあるいは溝部とリブからなるスプラインの如きにて係合させ、造泡筒５を環状体とともにスライドさせるようにしてもよい。
【００２３】
溝部とリブを適用して造泡筒５をスライドさせる場合も、その相互間の複数箇所に凹部とこの凹部に嵌まり込む凸部あるいは前記凸部が乗り越え可能な第２凸部を設けて所定の位置で位置決めを行うことで一定のパターンになる泡を迅速に変更して噴出させることができる。
【００２４】
【発明の効果】
本発明によれば、噴射ノズルの構造を簡素化することが可能であり、簡単な操作の下で泡のパターンを切換、変更できる。
【００２５】
また、造泡筒がノズル本体のどの位置にあるか目視することが可能であり、泡がどのようなパターンになるか容易に判断できるだけでなく、摘み部を設けることで、内容物が手に付着するのを確実に防止でき、使い勝手が格段に改善される。
【図面の簡単な説明】
【図１】本発明に従う噴射ノズルの実施の形態を示した図であり、（ａ）はノズル本体の外観形状、障壁部の形状を示した正面図、（ｂ）はノズル本体、障壁の側面を断面で示した図である。
【図２】本発明に従う噴射ノズルの他の実施の形態を示した図であり、（ａ）はノズル本体の外観形状、障壁の形状を示した正面図、（ｂ）はノズル本体、障壁の側面を断面で示した図である。
【符号の説明】
１  ボディ
２  操作レバー
３  噴射筒
３ａ  通路
４  ノズル本体
４ａ  開孔
５  造泡筒
５ａ  障壁
５ｂ  環状溝
６  摘み部
７  環状体
【図１】
2004290943.tif 000003
【図２】
2004290943.tif 000004